(57)【要約】【課題】スプリングのコイル部が突起に十分に係止され、スプリングが突起の後方に脱落を十分に抑止でき、しかも、空気がホルダー内面とコイル部外面との間や突起の頂部に残留すること回避できるボールペンを提供する。【解決手段】チップ本体２の後部３３が固着される筒状のホルダー３と、チップ本体２内及びホルダー３内に収容され、ボール２３を前方に付勢するスプリング５とを備える。ホルダー３内面に複数の突起３６を円周状に等間隔に分散配置させるとともに突起３６をホルダー３内面に一体に形成する。スプリング５のコイル部５２が突起３６を後方から前方へ乗り越え、コイル部５２が突起３６の前面３６ａに係止される。各々の突起３６の頂部における横断面形状が正多角形であり、各々の突起３６の頂部同士が接続してなる。【選択図】  図１
2010069622.tif 000002
【特許請求の範囲】
【請求項１】
前端に形成した内向きの前端縁部と該前端縁部の後方に形成したボール受け座とによりボールが回転可能に抱持されたチップ本体と、前記チップ本体の後部が固着される筒状のホルダーと、前記チップ本体内及び前記ホルダー内に収容され且つ前記ボールを前方に付勢して前記ボールを前端縁部の内面に密接させるスプリングとを備え、前記ホルダー内面に複数の突起を円周状に等間隔に分散配置させるとともに前記突起をホルダー内面に一体に形成し、前記スプリングのコイル部が前記突起を後方から前方へ乗り越え、前記コイル部が前記突起の前面に係止されてなるボールペンであって、
前記各々の突起の頂部における横断面形状が正多角形であり、前記各々の突起の頂部同士が接続してなることを特徴とするボールペン。
【請求項２】
前記突起の前面の頂部の幅と前記突起の後面の頂部の幅とが一致してなる請求項１記載のボールペン。
【発明の詳細な説明】
【技術分野】
【０００１】
本発明は、ボールペンに関する。
【背景技術】
【０００２】
従来この種のボールペンにおいて、特許文献１には、「前端にボールが内向きの前端縁部により回転可能に抱持されたチップ本体と、前記チップ本体の後部が固着される、合成樹脂の射出成形体からなるホルダーと、前記ボールを前方に付勢して前記ボールを前端縁部の内面に密接させるスプリングとを備えてなり、前記ホルダー内面に複数の突起を周状に分散配置させるとともに前記突起をホルダー内面と一体に形成し、前記各々の突起の前面及び後面に傾斜面を設け、前記スプリングのコイル部が前記突起を後方より乗り越え前記突起の前面に係止されてなるボールペンであって、前記突起の表面が横断面視において直線状または凸円弧状であることを特徴とするボールペン」が記載されている。また、前記特許文献１の図５には、突起の前面の頂部と突起の後面の頂部との間（即ち突起の頂部）に段差が形成されたことが記載されている。
【０００３】
また、特許文献２には、「前端にボールが内向きの前端縁部により回転可能に抱持されたチップ本体と、前記チップ本体の後部が固着されるホルダーと、前記ボールを前方に付勢して前記ボールを前端縁部の内面に密接させるスプリングとを備えてなり、前記ホルダー内面に複数の突起を円周状に等間隔に分散配置させるとともに前記突起をホルダー内面と一体に形成し、前記スプリングのコイル部が前記突起を後方より乗り越え、前記突起に係止されてなるボールペンであって、前記隣り合う突起と突起の間の間隙の幅を、スプリングの線径の３倍以下に設定したことを特徴とするボールペン」が記載されている。
【特許文献１】特開２００４−２７６５３３号公報
【特許文献２】特開２００４−２９１４０４号公報
【発明の開示】
【発明が解決しようとする課題】
【０００４】
前記特許文献１、２のボールペンは、いずれも、隣り合う突起と突起の間に隙間があり、突起の内方への突出量が不十分となりがちである。そのため、スプリングのコイル部が突起に係止された状態で、コイル部がホルダーの軸線に対して傾いたり落下等の衝撃が加わったりすると、スプリングが突起の後方に脱落するおそれがある。
【０００５】
さらに、前記特許文献１、２のボールペンは、突起の内方への突出量が不十分となりがちであるため、スプリングのコイル部が係止された状態で、コイル部外面がホルダー内面に接近しやすくなり、インキ中の空気を除去する遠心脱泡処理を行っても、空気がコイル部外面とホルダー内面との間に残留し、筆記不良となるおそれがある。
【０００６】
また、前記特許文献１のボールペンは、突起の前面の頂部と突起の後面の頂部との間（即ち突起の頂部）に段差が形成されているため、遠心脱泡処理の後でも、前記段差に空気が残留するおそれがある。
【０００７】
本発明は、前記従来の問題点を解決するものであって、スプリングのコイル部が突起に十分に係止され、スプリングが突起の後方に脱落することを十分に抑止でき、しかも、空気がホルダー内面とコイル部外面との間や突起の頂部に残留すること回避できるボールペンを提供しようとするものである。尚、本発明において、「前」とはペン先側を指し、「後」とはその反対側を指す。
【課題を解決するための手段】
【０００８】
[１]本願の第１の発明は、前端に形成した内向きの前端縁部２１と該前端縁部２１の後方に形成したボール受け座２２とによりボール２３が回転可能に抱持されたチップ本体２と、前記チップ本体２の後部３３が固着される筒状のホルダー３と、前記チップ本体２内及び前記ホルダー３内に収容され且つ前記ボール２３を前方に付勢して前記ボール２３を前端縁部２１の内面に密接させるスプリング５とを備え、前記ホルダー３内面に複数の突起３６を円周状に等間隔に分散配置させるとともに前記突起３６をホルダー３内面に一体に形成し、前記スプリング５のコイル部５２が前記突起３６を後方から前方へ乗り越え、前記コイル部５２が前記突起３６の前面３６ａに係止されてなるボールペンであって、前記各々の突起３６の頂部における横断面形状が正多角形であり、前記各々の突起３６の頂部同士が接続してなることを要件とする。
【０００９】
前記第１の発明のボールペン１は、突起３６の頂部における横断面形状が正多角形であり、前記各々の突起３６の頂部同士が接続してなることにより、突起３６の内方への突出量を十分に確保することができる。そのため、スプリング５のコイル部５２が突起３６に十分に係止され、スプリング５のコイル部５２が突起３６に係止された状態で、コイル部５２がホルダー３の軸線に対して傾いたり落下等の衝撃が加わったりしても、スプリング５が突起３６の後方に脱落することを十分に抑止できる。
【００１０】
また、前記第１の発明のボールペン１は、突起３６の内方への突出量を十分に確保することができることから、突起３６前方のホルダー３内面とコイル部５２外面とを接近させず十分に距離をおくことができ、さらに、突起３６同士の接続部分（正多角形の頂部）ではホルダー３内面とコイル部５２外面との間に十分な隙間が形成される。その結果、スプリング５のコイル部５２が係止された状態で、インキ中の空気を除去する遠心脱泡処理を行っても、空気がコイル部５２とホルダー３内面との間に残留することを回避でき、筆記不良の発生を防止できる。尚、本発明で、正多角形は、具体的には、正三角形、正方形、正五角形、正六角形、正七角形、正八角形等が適宜採用される。
【００１１】
［２］本願の第２の発明は、前記第１の発明のボールペン１において、前記突起３６の前面３６ａの頂部の幅と前記突起３６の後面３６ｂの頂部の幅とが一致してなることを要件とする。
【００１２】
前記第２の発明のボールペン１は、前記突起３６の前面３６ａの頂部の幅（周方向の幅）と前記突起３６の後面３６ｂの頂部の幅（周方向の幅）とが一致してなることにより、突起３６の前面３６ａの頂部と突起３６の後面３６ｂの頂部との間（即ち突起３６の頂部）に段差が形成されていないため、遠心脱泡処理の後、突起３６の頂部に空気が残留することを回避できる。前記突起３６の幅は、突起３６の周方向の幅をいう。
【発明の効果】
【００１３】
本願の第１の発明のボールペンによれば、スプリングのコイル部が突起に十分に係止され、スプリングが突起の後方に脱落することを十分に抑止でき、しかも、空気がホルダー内面とコイル部外面との間に残留することを回避できる。
【００１４】
本願の第２の発明のボールペンによれば、突起の頂部に空気が残留することを回避できる。
【発明を実施するための最良の形態】
【００１５】
本発明の実施の形態を図１乃至図３に示す。
本実施例のボールペン１は、前端部にボール２３を回転可能に抱持したチップ本体２と、該チップ本体２の後部３３がその前部に圧入固着されるホルダー３と、該ホルダー３の後部３３がその前端開口部に圧入固着されるインキ収容管４と、前記チップ本体２の内部及びホルダー３の内部に収容配置されるスプリング５とからなる。
【００１６】
前記インキ収容管４は、両端が開口された円筒体であり、合成樹脂の押出成形により得られる。前記インキ収容管４の前端開口部は、チップ本体２を有するホルダー３の後部３３が圧入固着される。前記インキ収容管４の後端は、空気流通孔として開口される。
【００１７】
前記インキ収容管４の内部には、インキ（例えば、低粘度の水性インキ、剪断減粘性が付与された水性ゲルインキ、または低粘度の油性インキ）と、該インキの後端に配置され且つ該インキの消費に伴って前進する追従体（例えば高粘度流体）とが収容される。
【００１８】
前記チップ本体２は、金属製（例えばステンレス鋼製）のストレート状の細管よりなる。前記チップ本体２の前端部には、内方への押圧変形により、環状の内向きの前端縁部２１とその後方にボール受け座２２とが形成される。そして、前記前端縁部２１と前記ボール受け座２２との間（即ちボール抱持部）において、ボール２３が回転可能に抱持される。尚、本実施例では、前記ボール受け座２２は、内方への押圧変形により形成された複数の内方突出部からなるが、これ以外にも、切削加工により形成されてもよい。
【００１９】
前記ホルダー３は、合成樹脂（例えば、ポリプロピレン、ポリアセタール）の射出成形により得られる筒状体である。前記ホルダー３は、チップ本体２２の後部が圧入固着される先細状の前部３１と、インキ収容管４の前端面に当接する鍔部３２と、インキ収容管４の前端開口部に圧入固着される後部３３とからなる。前記ホルダー３の内部には、前端が外部に開口するチップ取付孔３４と、該チップ取付孔３４と前端が連通し且つ後端が外部に開口するインキ流通孔３５が設けられる。前記インキ流通孔３５の内面には、複数（例えば６個）の同一形状及び同一寸法の突起３６が円周状に等間隔に分散配置されるとともに、前記突起３６がインキ流通孔３５の内面に一体形成される。前記突起３６は金型離型時のアンダーカットとなる。
【００２０】
前記スプリング５は、ステンレス鋼製の線材からなる。前記スプリング５は、前部のストレート部５１と、後部のコイル部５２とが一体に連設されてなる。さらに、前記コイル部５２の後端部には、外径が前方のコイル部５２よりも大きく設定された拡径部５２ａが形成される。前記拡径部５２ａは、線材間が密着した密着巻部により形成される。前記拡径部５２ａの最大外径ｂは、前記各々の突起３６の頂部に接する仮想内接円の直径ａよりも僅かに大きく設定される。
【００２１】
前記スプリング５のコイル部５２の後端部の拡径部５２ａは、前記ホルダー３内面の突起３６の後方より突起３６の前方へ突起３６を乗り越え、前記突起３６の前面３６ａに係止される。前記スプリング５のストレート部５１の前端は、ボール２３後面に当接され、ボール２３を前方に付勢し、それにより、ボール２３が内向きの前端縁部２１の内面に密接され、ペン先からのインキ漏出及び空気混入が防止される。
【００２２】
本実施の形態のボールペン１は、前記複数の突起３６の頂部における横断面形状が正多角形（例えば正六角形）を示す。前記各々突起３６は、傾斜面状の前面３６ａと傾斜面状の後面３６ｂを有する。前記各々の突起３６の頂部（即ち稜線部）において、隣接する突起３６同士（突起３６の頂部同士）が接続する。前記各々の突起３６の頂部が、横断面形状の正多角形（例えば正六角形）の各辺を構成する。それにより、突起３６の内方への突出量を十分に確保することができるため、スプリング５のコイル部５２が突起３６の前面３６ａに十分に係止され、スプリング５のコイル部５２が突起３６に係止された状態で、コイル部５２がホルダー３の軸線に対して傾いたり落下等の衝撃が加わったりしても、スプリング５が突起３６の後方に脱落することを十分に抑止できる。
【００２３】
また、本実施の形態のボールペン１は、突起３６の内方への突出量を十分に確保することができることから、突起３６前方のホルダー３内面とコイル部５２外面とを接近させず十分に距離をおくことができ、さらに、突起３６同士の接続部分（正多角形の頂部）ではホルダー３内面とコイル部５２外面との間に十分な隙間が形成される。その結果、スプリング５のコイル部５２が係止された状態で、インキ中の空気を除去する遠心脱泡処理を行っても、空気がコイル部５２とホルダー３内面との間に残留することを回避でき、筆記不良の発生を防止できる。
【００２４】
また、本実施の形態のボールペン１において、前記各々突起３６は、前記傾斜面状の前面３６ａの頂部の幅と前記傾斜面状の後面３６ｂの頂部の幅が、各々の突起３６の頂部において一致し、各々の突起３６の頂部に段差が存在しない。それにより、遠心脱泡処理の後、突起３６の頂部に空気が残留することを回避できる。
【図面の簡単な説明】
【００２５】
【図１】本発明の実施の形態の要部縦断図である。
【図２】図１のＡ−Ａ線断面図である。
【図３】図１のホルダーの縦断面図である。
【符号の説明】
【００２６】
１  ボールペン
２  チップ本体
２１  前端縁部
２２  ボール受け座
２３  ボール
３  ホルダー
３１  前部
３２  鍔部
３３  後部
３４  チップ取付孔
３５  インキ流通孔
３６  突起
３６ａ  前面
３６ｂ  後面
４  インキ収容管
５  スプリング
５１  ストレート部
５２  コイル部
５２ａ  拡径部
【図１】
2010069622.tif 000003
【図２】
2010069622.tif 000004
【図３】
2010069622.tif 000005